(57)【要約】【課題】１．５リットル以上の大容量でかつ薄肉のペットボトルを、片手で容易に把持できるようにすることを目的とする。【解決手段】１．５リットル以上の大容量で、胴部２が直方体の形状をしたペットボトル１にあって、相対する溝付壁面６のほぼ半分の高さで、かつ同一の隣接壁面７との角に近接した個所に、台形断面で縦長の把持溝１１を設ける。相対する２つの把持斜面１３または吊下げ斜面１４で構成される、先細りの勾配面の一方に第一指の指腹を、他方に第二指〜第五指の一部または全部の指腹をそれぞれ当て、ペットボトル１を引っ掛ける形で把持する。【選択図】図１
2008254764.tif 000002
【特許請求の範囲】
【請求項１】
胴部（２）が直方体の形状をした飲料等のペットボトルにおいて、相対する溝付壁面（６）のほぼ半分の高さで、かつ同一の隣接壁面（７）との角に近接した個所に、台形断面で縦長の把持溝（１１）をそれぞれ設け、台形斜面のうち隣接壁面（７）側の把持斜面（１３）のキャップ（４）側先端の一部を、隣接壁面（７）から離れる方向に「くの字」型に曲げて吊下げ斜面（１４）を形成したペットボトル。
【請求項２】
請求項１において、把持溝（１１）の深さＬ１を３〜１０ｍｍ、把持溝底（１２）の幅Ｌ２を３〜２０ｍｍ、長さＬ３を２０〜７０ｍｍ、把持斜面（１３）の立ち上がり角度Ａ１を２０〜６０度、吊下げ斜面（１４）を把持斜面（１３）から「くの字」に曲げる角度Ａ２を３０〜９０度、吊下げ斜面（１４）の長さＬ４を１０〜２０ｍｍ、吊下げ斜面（１４）の立ち上がる角度Ａ３を２０〜６０度に設定したことを特徴とするペットボトル。
【請求項３】
請求項１、２のいずれかの項において、把持溝（１１）、把持溝底（１２）、把持斜面（１３）および吊下げ斜面（１４）を、溝付壁面（６）の左右対称位置にもう一組設けたことを特徴とするペットボトル。
【請求項４】
請求項１、２のいずれかの項において、把持峰部（１５）と溝付壁面（６）との間に段差Ｌ６を設けたことを特徴とするペットボトル。
【請求項５】
請求項４において、把持溝（１１）、把持溝底（１２）、把持斜面（１３）、吊下げ斜面（１４）および段差Ｌ６を、溝付壁面（６）の左右対称位置にもう一組設けたことを特徴とするペットボトル。
【請求項６】
請求項３、５のいずれかの項において、左右の把持溝底（１２）を連結して共通把持底（１６）にしたことを特徴とするペットボトル。
【請求項７】
請求項１〜６のいずれかの項において、把持斜面（１３）および吊下げ斜面（１４）に、くぼみ（２１）を設けたことを特徴とするペットボトル。
【請求項８】
請求項１〜７のいずれかの項において、吊下げ斜面（１４）に換えて、把持斜面（１３）から円弧状に伸びた吊下げ曲面（１７）を設けたことを特徴とするペットボトル。
【請求項９】
請求項８において、吊下げ曲面（１７）の円弧角度Ａ５を、３０〜９０度に設定したことを特徴とするペットボトル。
【発明の詳細な説明】
【技術分野】
【０００１】
本発明は、樹脂製の飲料などの容器（以下、ペットボトルと称する）、特に１．５リットル以上の大容量で、かつ薄肉のペットボトルの把持性を改善する技術に関するものである。
【背景技術】
【０００２】
ペットボトルは、成形が容易なこと、軽量であることなどから、飲料などの容器として広く使用されるようになってきた。
ペットボトルは大容量化してきており、現在は２リットル用が一般に使用されている。
【０００３】
一方、省資源、容器のコスト削減のため、ペットボトルの薄肉化が進んでいる。
【０００４】
このようにペットボトルは、１本当たりの内溶液重量は増大しているのに対し、薄肉になっていることから、外部からの力に対して変形しやすくなっている。
このため、ペットボトルを掴んだとき胴部が内側にへこんで、指から滑り落ちようとするなどの問題がある。
【０００５】
このような問題に対して、ペットボトルの胴部中央付近に凹部を設けて、ここに指を当てて把持する容器が提案されている（たとえば、特許文献１、２、３参照）。
【０００６】
【特許文献１】特開平８−２３０８５６号公報
【特許文献２】特開２００５−８８９７３号公報
【特許文献３】実登３０５８３４５号公報
【０００７】
これらの提案でも、ペットボトルを掴んだとき胴部が内側にへこむことがあり、指から滑り落ちようとする問題は、十分には解決に至っていない。
【発明の開示】
【発明が解決しようとする課題】
【０００８】
本発明は、１．５リットル以上の大容量・薄肉のペットボトルを、片手で容易に把持できるようにすることを目的とする。
【課題を解決するための手段】
【０００９】
対象とするペットボトルは、胴部が直方体の形状で、その上方に角錘状の肩部、そしてキャップがついている１．５リットル以上の大容量のもので、直方体状胴部の４つの角部は、平面状またはかまぼこ型状の面取りがされているものである。
【００１０】
胴部の相対する２面を溝付壁面とし、これらの溝付壁面のほぼ半分の高さで、かつ同一の隣接壁面との角に近接した個所に把持溝をそれぞれ設ける。
把持溝は、ペットボトルの高さ方向に細長い溝で、その横断面は台形であり、底面が把持溝底、斜面のうち隣接壁面側のものが把持斜面である。
把持斜面のキャップ側先端の一部を、隣接壁面から離れる方向に「くの字」型に曲げて、吊下げ斜面を形成する。
【００１１】
胴部直方体の横断面寸法が大きいペットボトルの場合は、把持溝を深くし、把持斜面の斜面上端と隣接壁面との面取り部までの間の把持峰部を溝付壁面から一段低い位置に配置することで、溝付壁面との間に段差を設ける。
【００１２】
把持の利便性を高めるため、把持溝を溝付壁面の左右対称位置にもう一組設置する。
さらに、同一溝付壁面にある左右の把持溝底を連結して共通把持溝底にする。
【００１３】
また、これらの手段に付加して、把持斜面および吊下げ斜面にくぼみを設ける、さらに吊下げ斜面に換えて把持斜面から円弧状に伸びた吊下げ曲面を設けるなどの改善をする。
【発明の効果】
【００１４】
ペットボトルを持ち上げ、運ぶときは、一方の吊下げ斜面に第一指の指腹を当て、相対する面側の吊下げ斜面に第二指ないし第三指の指腹を当てて把持する。ペットボトルは、やや傾斜した形で吊下げられる。
ペットボトルから内溶液を注出するときは、一方の把持斜面に第一指の指腹を当て、相対する面側の把持斜面に第三指から第五指までの全部またはその一部の指腹を当てて持上げる。さらに、第二指の指腹と手掌を隣接壁面に当てることで、ペットボトルを吊下げ状態から注出に必要な姿勢への変更を容易にする。
ペットボトルを把持するときは、相対する２つの把持斜面または吊下げ斜面で構成される先細りの勾配面の一方に第一指の指腹を、他方に第二指〜第五指の一部または全部の指腹をそれぞれ当て、ペットボトルを引っ掛ける形にする。
ペットボトルの壁面を押さえる余分な力が発生しないことから、壁面の変形が少なくなり、安定した把持ができる。
【００１５】
胴部直方体の横断面寸法が大きい大容量ペットボトルでは、把持峰部と溝付壁面の間に段差を設けて、２つの把持溝間の寸法を適切に設定することで、ペットボトルを片手で容易に把持できる。
【００１６】
把持溝を溝付壁面の左右対称位置にさらに一組設置することで、ペットボトルの取り扱いがより容易になる。
【００１７】
把持斜面、吊下げ斜面に溝状、あるいは複数の皿状の凹みを設けることで、指腹との接触面の摩擦力を高め、把持時の指の滑りを軽減できる。
【００１８】
吊下げ曲面を設けることで、吊下げ時の手指の位置・姿勢がより適切になる。
【発明を実施するための最良の形態】
【００１９】
ペットボトルに本発明を適用した実施形態につき説明する。
【実施例１】
【００２０】
実施例１を図１に基づいて説明する。
【００２１】
対象とするペットボトル１は、胴部２が直方体の形状をし、その上に肩部３とキャップ４があり、胴部２の４つの角は、平面状またはかまぼこ型状の面取り５がされた、１．５リットル以上の大容量のものである。
【００２２】
胴部２の相対す２面を溝付壁面６とし、これらの溝付壁面６のほぼ半分の高さで、同一の隣接壁面７との角に近接した所に、把持溝１１を設ける。
【００２３】
把持溝１１は、ペットボトル１の高さ方向に細長い溝で、その横断面は台形である。
底面が把持溝底１２、斜面のうち隣接壁面７側のものが把持斜面１３である。
【００２４】
把持溝１１の深さＬ１は３〜１０ｍｍとするのが好ましい。
把持溝底１２の幅Ｌ２は３〜２０ｍｍ、長さＬ３は２０〜７０ｍｍとするのが好ましい。
把持斜面１３が把持溝底１２から立ち上がる角度Ａ１は２０〜６０度とするのが好ましい。
【００２５】
把持斜面１３のキャップ４側先端の一部を、隣接壁面７から離れる方向に「くの字」型に曲げて、吊下げ斜面１４を形成する。
【００２６】
「くの字」に曲げる角度Ａ２は３０〜９０度とするのが好ましい。
吊下げ斜面１４の長さＬ４は１０〜２０ｍｍ、吊下げ斜面１４が把持溝底１２から立ち上がる角度Ａ３は２０〜６０度とするのが好ましい。
【００２７】
把持斜面１３の斜面上端と、隣接壁面７との面取り５部までの間の平面部が、把持峰部１５である。
【００２８】
把持峰部１５の幅Ｌ５は、３〜２０ｍｍに設定するのが好ましい。
【００２９】
図２は、実施例１のペットボトル１の把持状態を示す。
【００３０】
（ａ）はペットボトル１を持ち上げ、運ぶときの状態を示す。
一方の吊下げ斜面１４に第一指の指腹を当て、相対する面側の吊下げ斜面１４に第二指の指腹ないし第三指の指腹を当てて把持する。
ペットボトル１は、やや傾斜した形で吊下げられる。
（ｂ）はペットボトル１のキャップ４を外し口９の状態とし、内溶液を注出するときの持ち方を示す。
一方の把持斜面１３に第一指の指腹を当て、相対する面側の把持斜面１３に第三指から第五指までの全部またはその一部の指腹を当て、さらに隣接壁面７の口９側を第二指の指腹で、底８側を手掌でそれぞれ押さえて把持する。
ペットボトル１を、吊下げ状態から水平状態へ、さらに下方に向けて内溶液を注出するまでのすべての姿勢がとれる。
【実施例２】
【００３１】
実施例２は、胴部２直方体の横断面寸法が大きいペットボトル１に適用する。
実施例２を図３に基づいて説明する。
【００３２】
図３は、図１に示すペットボトル１の形状を基にして、把持峰部１５と溝付壁面６の間に段差Ｌ６を設けたもので、隣接壁面７の幅が大きい場合でも２つの把持溝１１間の寸法を適切に設定でき、ペットボトル１を片手で容易に把持できる。
【００３３】
相対する２つの把持峰部１５の間隔寸法Ｌ７は、６０〜８０ｍｍに設定するのが好ましい。
【実施例３】
【００３４】
実施例３は、実施例１の取り扱いをさらに容易にするものである。
実施例３を図４に基づいて説明する。
【００３５】
図４は、図１に示す把持溝１１、把持溝底１２、把持斜面１３および吊下げ斜面１４を、溝付壁面６の左右対称位置にさらに一組設けたものである。
【実施例４】
【００３６】
実施例４は、実施例２の取り扱いをさらに容易にするものである。
実施例４を図５に基づいて説明する。
【００３７】
図５は、図３に示す把持溝１１、把持溝底１２、把持斜面１３、吊下げ斜面１４および段差Ｌ６を、溝付壁面６の左右対称位置にさらに一組設けたものである。
【実施例５】
【００３８】
実施例５は、実施例３の形状を簡易にするものである。
実施例５を図６に基づいて説明する。
【００３９】
図６は、図４に示す左右の把持溝１１間の凸部分を削除し、双方の把持溝底１２を連結して共通把持底１６にしたものである。
【実施例６】
【００４０】
実施例６は、実施例４の形状を簡易にするものである。
実施例６を図７に基づいて説明する。
【００４１】
図７は、図５に示す左右の把持溝１１間の凸部分を削除し、双方の把持溝底１２を連結して共通把持底１６にしたものである。
【実施例７】
【００４２】
実施例７は、実施例１〜６に付加して、その機能をさらに向上させるものである。
実施例７を図８に基づいて説明する。
図８は、把持溝１１付近の部分図である。
【００４３】
把持斜面１３および吊下げ斜面１４にくぼみ２１を設けることで、把持時の摩擦力を増す。
【００４４】
くぼみ２１は、１本または２本以上の溝、あるいは複数の皿状の凹みにするのが好ましい。
【実施例８】
【００４５】
実施例８は、実施例１〜７に適用し、把持をより適切にするものである。
実施例８を図９に基づいて説明する。
図９は、把持溝１１付近の部分図である。
【００４６】
図１〜図８に示す吊下げ斜面１４に換えて、把持斜面１３から円弧状に伸びた吊下げ曲面１７を設ける。
【００４７】
吊下げ曲面１７の円弧角度Ａ５は、３０〜９０度とするのが好ましい。
【図面の簡単な説明】
【００４８】
【図１】本発明実施例１の形態を示し、（ａ）は正面図、（ｂ）は（ａ）におけるＩ−Ｉ断面図、（ｃ）は（ａ）におけるＩＩ−ＩＩ断面図である。
【図２】本発明実施例１のペットボトルの把持状態を示し、（ａ）はペットボトルを持ち上げ、運ぶとき、（ｂ）はペットボトルから内溶液を注出するときの持ち方である。
【図３】本発明実施例２の形態を示し、（ａ）は正面図、（ｂ）は（ａ）におけるＩＩＩ−ＩＩＩ断面図である。
【図４】本発明実施例３の形態を示し、（ａ）は正面図、（ｂ）は（ａ）におけるＩＶ−ＩＶ断面図である。
【図５】本発明実施例４の形態を示し、（ａ）は正面図、（ｂ）は（ａ）におけるＶ−Ｖ断面図である。
【図６】本発明実施例５の形態を示し、（ａ）は正面図、（ｂ）は（ａ）におけるＶＩ−ＶＩ断面図である。
【図７】本発明実施例６の形態を示し、（ａ）は正面図、（ｂ）は（ａ）におけるＶＩＩ−ＶＩＩ断面図である。
【図８】本発明実施例７の形態を示し、（ａ）は把持溝１１付近の部分正面図、（ｂ）は（ａ）におけるＶＩＩＩ−ＶＩＩＩ断面図である。
【図９】本発明実施例８の形態を示し、把持溝１１付近の部分正面図である。
【符号の説明】
【００４９】
１  ペットボトル
２  胴部
３  肩部
４  キャップ
５  面取り
６  溝付壁面
７  隣接壁面
８  底
９  口
１１  把持溝
１２  把持溝底
１３  把持斜面
１４  吊下げ斜面
１５  把持峰部
１６  共通把持溝
１７  吊下げ曲面
２１  くぼみ  
【図１】
2008254764.tif 000003
【図２】
2008254764.tif 000004
【図３】
2008254764.tif 000005
【図４】
2008254764.tif 000006
【図５】
2008254764.tif 000007
【図６】
2008254764.tif 000008
【図７】
2008254764.tif 000009
【図８】
2008254764.tif 000010
【図９】
2008254764.tif 000011